(57)【特許請求の範囲】
【請求項１】
不透液性フィルムが重ねられてなり、一端に手指を挿入可能な開口を有する袋体と、
前記袋体の内面を覆う清掃用部材と、
前記袋体の外面の他端に固着され、少なくとも一本の指を挿通して引っ掛けることが可能な引掛け部材と、
を備えることを特徴とする使い捨て手袋。
【請求項２】
前記袋体には、前記不透液性フィルムの端部同士を端部全体に亘って接着するシール部が形成され、
前記袋体の一端が切り取られることにより前記開口が形成されることを特徴とする請求項１に記載の使い捨て手袋。
【請求項３】
前記袋体の内面には、前記開口の大きさを調節するための開口調節手段が設けられていることを特徴とする請求項１又は２に記載の使い捨て手袋。
【発明の詳細な説明】
【技術分野】
【０００１】
本発明は、使い捨て手袋に関する。
【背景技術】
【０００２】
従来、使用者の手指を挿入できるように袋状に成形され、手指に装着して拭き掃除を行うことを可能にする使い捨ての手袋型清浄具（以下、使い捨て手袋と称する）が知られている。
【０００３】
上記の使い捨て手袋として、不透液性フィルムからなる袋体の内面に不織布シートを備えるとともに、袋体の外面に清掃用不織布シートを備えたものが知られている（例えば、特許文献１参照）。特許文献１記載の使い捨て手袋によれば、使い捨て手袋を長時間装着した場合であっても、袋体の内面に備えられた不織布シートが手汗を吸着することができるので、使い捨て手袋の使用感を向上させることができる。また、袋体の外面に備えられた清掃用不織布シートにより、汚れた箇所の拭き掃除を効率的に行うことができる。
【０００４】
また、プラスチックフィルムからなる袋体の開口部近傍に、開口部と平行してミシン目が設けられたものが知られている（例えば、特許文献２参照）。特許文献２記載の使い捨て手袋によれば、使い捨て手袋を装着して汚物を把持した後、袋体を裏返して汚物を袋体内に収容させ、開口部近傍のミシン目を切り離した部分を縛り紐として開口部を縛ることにより、汚物処理を衛生的に行うことができる。
【先行技術文献】
【特許文献】
【０００５】
【特許文献１】特開２００８−８１８９５号公報
【特許文献２】特開２０００−３３６５０９号公報
【発明の概要】
【発明が解決しようとする課題】
【０００６】
しかしながら、上記特許文献１，２記載の使い捨て手袋には、使用後に袋体を裏返す際に、袋体の内面を指でつまんで裏返す必要があるため、裏返し作業に手間を要するうえ、もう一方の手指を汚してしまう虞があるという問題がある。
また、上記特許文献１，２記載の使い捨て手袋を販売するための陳列方法としては、重ねて平積みするか、若しくはさらに袋で梱包しないと、陳列方法の多様性を持たせることができず、余計な包装コストが必要になるという問題もある。
【０００７】
本発明は、使用後の袋体の裏返し作業を衛生的且つ容易なものとするとともに、販売時における陳列方法の多様性を持たせることができる使い捨て手袋を提供することを目的とする。
【課題を解決するための手段】
【０００８】
請求項１に記載の発明は、上記目的を達成するためになされたものであり、
使い捨て手袋において、
不透液性フィルムが重ねられてなり、一端に手指を挿入可能な開口を有する袋体と、
前記袋体の内面を覆う清掃用部材と、
前記袋体の外面の他端に固着され、少なくとも一本の指を挿通して引っ掛けることが可能な引掛け部材と、
を備えることを特徴とする。
【０００９】
請求項２に記載の発明は、請求項１に記載の使い捨て手袋において、
前記袋体には、前記不透液性フィルムの端部同士を端部全体に亘って接着するシール部が形成され、
前記袋体の一端が切り取られることにより前記開口が形成されることを特徴とする。
【００１０】
請求項３に記載の発明は、請求項１又は２に記載の使い捨て手袋において、
前記袋体の内面には、前記開口の大きさを調節するための開口調節手段が設けられていることを特徴とする。
【発明の効果】
【００１１】
本発明によれば、袋体の内面に挿入された手指を引掛け部材に引掛けて固定することができるので、使用後に袋体を裏返す際に、空いている方の手指で袋体の縁部を摘みつつ、引掛け部材に固定された手指を開口側へ引き出すだけで袋体を裏返すことができることとなって、手指を汚すことなく簡単に裏返し作業を行うことができる。また、販売時に引掛け部材を壁掛け用に壁に設けられた部材や棚から吊るすために設けられた部材等に引掛けることで自身を吊り下げることができることとなって、陳列方法に多様性を持たせることができる。
【図面の簡単な説明】
【００１２】
【図１】本実施形態の使い捨て手袋の構成を示す平面図である。
【図２】使い捨て手袋の袋体を裏返して引掛け部材に手指を掛けたときの様子について示す平面図である。
【図３】図２の状態から、引掛け部材に固定された手指を開口側へ引き出した後の様子について示す平面図である。
【図４】変形例１の使い捨て手袋の構成を示す平面図である。
【図５】図４の使い捨て手袋にミシン目が設けられた様子について示す平面図である。
【図６】変形例２の使い捨て手袋の構成を示す平面図である。
【図７】図６の状態から、袋体を紐状部材で締め付けた後の様子について示す平面図である。
【図８】図７の状態から、袋体の開口側の端部を上方に折り返した後の様子について示す平面図である。
【発明を実施するための形態】
【００１３】
以下、本発明の実施の形態を、図面を参照しながら詳細に説明する。
【００１４】
本実施形態に係る使い捨て手袋１００は、図１に示すように、不透液性フィルム１１が重ねられてなり、一端に手指を挿入可能な開口１ａを有する袋体１と、袋体１の内面を覆う清掃用部材である疎水性の不織布シート２と、袋体１の外面の他端に固着され、吊り下げ可能に形成された引掛け部材３と、を備えて構成されている。
【００１５】
袋体１は、略同一形状の２枚の不透液性フィルム１１を重ね合わせ、その重ね合わされた２枚の不透液性フィルム１１の端部同士をシール部１ｂで接着させることにより、形成されている。なお、袋体１の形状に関しては特に制限されるものではなく、図１に示したような四角形状の袋体を形成するようにしてもよいし、或いはミトン型の袋体を形成するようにしてもよい。
不透液性フィルム１１は、例えば、ポリエチレン（ＰＥ）、ポリプロピレン（ＰＰ）、ポリエチレンテレフタラート（ＰＥＴ）などのポリオレフィンフィルム等であって、袋体１の外側からその内部に水などの液体を浸透させないフィルム素材である。なお、不透液性フィルム１１は、通気性を有するフィルム材であって、袋体１の内部から外側に蒸気を放散可能であることが好ましい。
【００１６】
シール部１ｂは、例えば、ホットメルトなどのヒートシールや超音波シールであって、重ね合わされた２枚の不透液性フィルム１１の端部同士を接着している。本実施形態では、シール部１ｂは、開口１ａを有する一端を除き、２枚の不透液性フィルム１１の端部同士を接着するように形成されている。なお、このシール部１ｂは、２枚の不透液性フィルム１１の端部同士が密着するように接着されているので、シール部１ｂを通じて袋体１の内部に水などが浸み込まない構成になっている。
【００１７】
不織布シート２は、所定の繊維を繊維素材として、例えば、スパンレース、エアスルー、エアレイド、ポイントボンド、スパンボンド、ニードルパンチ等の周知の技術により製造される不織布からなるシート材であって、袋体１の内面を覆うように設けられている。本実施形態では、疎水性を有する繊維を主体として構成されたドライタイプのシート材を使用する。疎水性を有する繊維の例としては、例えば、ポリエチレン、ポリプロピレン及びポリビニルアルコール等のポリオレフィン系繊維、ポリエチレンテレフタレート、ポリブチレンテレフタレート等のポリエステル繊維や、ナイロン等のポリアミド系繊維が挙げられる。これらは単独で、又は２種以上を組み合わせて用いることができる。
【００１８】
引掛け部材３は、例えば、ナイロン、ポリエチレン（ＰＥ）、ポリプロピレン（ＰＰ）、ポリエチレンテレフタラート（ＰＥＴ）、シリコン、ゴム等の素材で形成され、環状に折り曲げられて袋体１の外面の他端（開口１ａを有する一端と反対側の端部）に固着されている。本実施形態に係る使い捨て手袋１００は、この引掛け部材３を備えることにより、例えば、販売時に壁掛け用に壁に設けられた部材や棚から吊るすために設けられた部材等に吊り下げて陳列することができる。
なお、引掛け部材３の形状に関しては、図１に示したような環状の部材に制限されるものではなく、販売時に吊り下げ可能な形状であればいかなる形状であってもよい。例えば、環状の部材の代わりに、鉤状の部材を使用するようにしてもよい。
【００１９】
次に、本実施形態に係る使い捨て手袋１００の使用方法について、図２及び図３を用いて説明する。
まず、使用者は、図２に示すように、使い捨て手袋１００の袋体１を、袋体１の内面が外面になるように裏返す。この作業により、袋体１の内面を覆うように設けられた不織布シート２が、袋体１の外面側に表出する。一方、袋体１の外面に固着された引掛け部材３は、袋体１の内面側に収容される。
次に、使用者は、袋体１の一端に形成された開口１ａから袋体１の内部に手指を挿入し、袋体１の内面側に収容された引掛け部材３に手指を掛けて、手指と使い捨て手袋１００とを固定する（図２参照）。そして、袋体１の外面側に表出した不織布シート２を利用して、所望の清掃箇所を払拭しながら掃除する。
次に、使用者は、使い捨て手袋１００による清掃作業の終了後、図３に示すように、空いている方の手指で袋体１の縁部を摘みつつ、引掛け部材３に固定された手指を開口１ａ側へ引き出すことで、袋体１を元の形態に戻すように、即ち、清掃作業で汚れた不織布シート２が袋体１の内面側に収容されるように裏返した後、当該使い捨て手袋１００を廃棄する。
【００２０】
以上のように、本実施形態に係る使い捨て手袋１００によれば、不透液性フィルム１１が重ねられてなり、一端に手指を挿入可能な開口１ａを有する袋体１と、袋体１の内面を覆う不織布シート２と、袋体１の外面の他端に固着される引掛け部材３と、を備えるので、袋体１の内面に挿入された手指を引掛け部材３に引掛けて固定することができるので、使用後に袋体１を裏返す際に、空いている方の手指で袋体１の縁部を摘みつつ、引掛け部材３に固定された手指を開口１ａ側へ引き出すだけで袋体１を裏返すことができることとなって、手指を汚すことなく簡単に裏返し作業を行うことができる。また、販売時に引掛け部材３を壁掛け用に壁に設けられた部材や棚から吊るすために設けられた部材等に引掛けることで自身を吊り下げることができることとなって、陳列方法に多様性を持たせることができる。
【００２１】
以上、本発明に係る実施形態に基づいて具体的に説明したが、本発明は上記実施形態に限定されるものではなく、その要旨を逸脱しない範囲で変更可能である。
【００２２】
＜変形例１＞
例えば、図４に示す例では、実施形態と比べ、袋体１の一端に開口１ａが予め形成されておらず、シール部１ｂが２枚の不透液性フィルム１１の端部同士を端部全体に亘って接着するように形成されている。このように、変形例１では、シール部１ｂが不透液性フィルム１１の端部同士を端部全体に亘って接着するように形成されているので、袋体１の内部は密閉された状態となっている。従って、袋体１の内面を覆うように設けられた不織布シート２に予め液体洗剤や研磨剤等を含浸、付着させておくことができるので、使用者が清掃作業を行う際の手間を軽減することができる。
【００２３】
使用者は、変形例１に係る使い捨て手袋１００を使用するとき、まず、袋体１の外面の一端（引掛け部材３が固着された他端と反対側の端部）を、はさみ等を用いて切り取る。これにより、実施形態と同様、切り取られた一端側に開口１ａが形成される（図１参照）。
なお、以降の動作は実施形態と同様であるので、説明を省略する。
【００２４】
以上のように、変形例１に係る使い捨て手袋１００によれば、袋体１には、不透液性フィルム１１の端部同士を端部全体に亘って接着するシール部１ｂが形成され、袋体１の一端が切り取られることにより開口１ａが形成されるので、販売時に予め不織布シート２に対して液体洗剤や研磨剤等を含浸、付着させておくことができることとなって、使用者が清掃作業を行う際に、液体洗剤や研磨剤等を含浸、付着させる手間を省くことができる。
【００２５】
なお、変形例１では、はさみ等を用いて袋体１の外面の一端を切り取らせるようにしているが、これに限定されるものではない。例えば、図５に示すように、袋体１及び不織布シート２に予め切り取り用のミシン目Ｍを形成しておくことで、使用者が手指で容易に一端を切り取ることができるようにしてもよい。
【００２６】
＜変形例２＞
例えば、図６に示す例では、実施形態と比べ、袋体１の内面（不織布シート２が設けられている方の面）に、開口１ａの大きさを調節するための紐状部材４（開口調節手段）が設けられている点で異なっている。紐状部材４は、例えば、ナイロン、ポリエチレン（ＰＥ）、ポリプロピレン（ＰＰ）、ポリエチレンテレフタラート（ＰＥＴ）、シリコン、ゴム等の素材を紐状に成型することにより形成され、先端部４ａを引っ張ることにより、図７に示すように、開口１ａを収縮させることができるようになっている。
【００２７】
使用者は、変形例２に係る使い捨て手袋１００を装着するとき、まず袋体１を、袋体１の内面が外面になるように裏返し、紐状部材４を外面側に表出させる。
次に、使用者は、袋体１の一端に形成された開口１ａから袋体１の内部に手指を挿入し、引掛け部材３に手指を掛けるとともに、空いている方の手指で紐状部材４の先端部４ａを引っ張る。これにより、袋体１の開口１ａが収縮され、袋体１が使用者の手首にフィットする。
ここで、使用者は、紐状部材４で上下に区画された袋体１のうち、下方側、即ち、開口１ａ側の袋体１を、図８に示すように、上方に折り返す。これにより、袋体１の折り返された部分に、不織布シート２からの液だれを堰き止めるための空間Ｓが形成される。
使用者は、清掃作業の終了後、空間Ｓに溜まった液体を廃棄しつつ、折り返した部分を元に戻す。そして、使用者は、袋体１と手首とのわずかな隙間に空いている方の手指を入れ、開口１ａを元の大きさまで広げる。以降、実施形態と同様、引掛け部材３に固定された手指を開口１ａ側へ引き出すことにより袋体１を裏返した後、当該使い捨て手袋１００を廃棄する。
【００２８】
以上のように、変形例２に係る使い捨て手袋１００によれば、袋体１の内面には、開口１ａの大きさを調節するための紐状部材４が設けられているので、使用者は空いている方の手指で紐状部材４を操作するだけで袋体１の開口１ａを収縮させることができることとなって、袋体１を使用者の手首にフィットさせるとともに、粉塵や水滴等が袋体１の内部に侵入することを防ぐことができる。また、紐状部材４で上下に区画された袋体１のうち、下方側、即ち、開口１ａ側の袋体１を上方に折り返すことで、不織布シート２からの液だれを堰き止めるための空間Ｓを形成することができるので、使用者の衣服等が汚れることを防ぐことができる。
【００２９】
なお、上記変形例２では、開口調節手段として紐状部材４を例示して説明しているが、これに限定されるものではなく、袋体１の開口１ａを伸縮自在に調節可能な構成であれば、いかなる部材を使用するようにしてもよい。例えば、紐状部材４の代わりに、糸ゴムやウレタン弾性糸などの弾性部材を設けるようにしてもよい。
また、変形例１と変形例２とを組み合わせることも、当然に可能である。
【００３０】
＜その他の変形例＞
例えば、上記実施形態では、清掃用部材として不織布からなる不織布シート２を例示して説明しているが、これに限定されるものではなく、例えば、スポンジやブラシ等で形成された清掃用部材を使用するようにしてもよい。また、本発明の清掃用部材は、一の素材のみで形成されている必要はなく、２種以上の素材を組み合わせて使用するようにしてもよい。従って、例えば、袋体１の内面の一面に不織布を使用し、他面にブラシを使用するようにしてもよい。これにより、傷を付けたくない箇所には不織布を使用し、強く擦りたい箇所にはブラシを使用する等の使い分けを行うことができるので、使用者の要望に合わせた払拭作業を行うことが可能となる。
【００３１】
また、上記実施形態では、ドライタイプの不織布シート２を例示して説明しているが、これに限定されるものではなく、ドライタイプの不織布シート２の代わりに、親水性を有する繊維を主体として構成されたウェットタイプの不織布シートを使用するようにしてもよい。親水性を有する繊維の例としては、例えば、レーヨン、リヨセル、テンセル、コットン等のセルロース系繊維、アクリル繊維等の親水性の合成繊維などが挙げられる。これらは単独で、又は２種以上を組み合わせて用いることができる。なお、ウェットタイプの不織布シートを使用する場合、気密性を確保できる変形例１の使い捨て手袋１００と組み合わせると、より効果的である。
また、袋体１の内面の一面にドライタイプの不織布シート２を使用し、他面にウェットタイプの不織布シートを使用するようにしてもよい。これにより、水拭きと乾拭きを連続して行うことができるようになる。
【００３２】
その他、使い捨て手袋の細部構成及び細部動作に関しても、本発明の趣旨を逸脱することのない範囲で適宜変更可能である。
【符号の説明】
【００３３】
１００  使い捨て手袋
１  袋体
１ａ  開口
１ｂ  シール部
１１  不透液性フィルム
２  不織布シート（清掃用部材）
３  引掛け部材
４  紐状部材（開口調節手段）
４ａ  先端部
【図１】
0005872224.tif 000002
【図２】
0005872224.tif 000003
【図３】
0005872224.tif 000004
【図４】
0005872224.tif 000005
【図５】
0005872224.tif 000006
【図６】
0005872224.tif 000007
【図７】
0005872224.tif 000008
【図８】
0005872224.tif 000009